(57)【要約】【課題】クロストークに起因する濃淡のムラを減らすことのできる情報表示装置の駆動方法を提供する。【解決手段】２枚の基板間に封入した第１の色を有する表示媒体と第２の色を有する表示媒体とを移動させて画像等の情報を表示する本発明の情報表示装置の駆動方法では、一方の基板上で行方向に配置された複数の電極からなる行電極群、及び、他方の基板上で列方向に配置された複数の電極からなる列電極群、に対し、行電極の一端から他端にスキャンして電圧を印加することで１画面の画像を表示するにあたり、１画面の表示が終了した後、第１の色表示画素にクロストークを発生させる電圧もしくは第２の色表示画素にクロストークを発生させる電圧を１画面の画素全てに各１回以上印加する。【選択図】図３
2010113154.tif 000002
【特許請求の範囲】
【請求項１】
少なくとも一方が透明な対向する２枚の基板間に第１の色を有する表示媒体と第２の色を有する表示媒体とを封入し、前記２種類の表示媒体を移動させて画像等の情報を表示する情報表示装置の駆動方法において、
一方の基板上で行方向に配置された複数の電極からなる行電極群、及び、他方の基板上で列方向に配置された複数の電極からなる列電極群、に対し、行電極の一端から他端にスキャンして電圧を印加することで１画面の画像を表示するにあたり、１画面の表示が終了した後、第１の色表示画素にクロストークを発生させる電圧もしくは第２の色表示画素にクロストークを発生させる電圧を１画面の画素全てに各１回以上印加することを特徴とする情報表示装置の駆動方法。
【請求項２】
スキャンの最後に１行以上行を付け足し、１スキャンが終了した後、第１の色の表示もしくは第２の色の表示を１回以上表示する駆動を行うことを特徴とする請求項１に記載の情報表示装置の駆動方法。
【請求項３】
情報表示に先立つ情報の消去に際し使用する色と異なる色のクロストークを発生させる電圧を印加することを特徴とする請求項１または２に記載の情報表示装置の駆動方法。
【請求項４】
情報表示に先立つ情報の消去方法が、全面を複数に分割して消去してから行毎に情報を書き込む分割消去方法、または、全面一斉に消去してから情報を行毎に書き込む全消去方法であることを特徴とする請求項１〜３の何れか１項に記載の情報表示装置の駆動方法。
【発明の詳細な説明】
【技術分野】
【０００１】
本発明は、少なくとも一方が透明な対向する２枚の基板間に第１の色を有する表示媒体と第２の色を有する表示媒体とを封入し、前記２種類の表示媒体を移動させて画像等の情報を表示する情報表示装置の駆動方法に関するものである。
【背景技術】
【０００２】
液晶（ＬＣＤ）に代わる情報表示装置として、帯電粒子を表示媒体とし、この表示媒体を液体中で駆動させる電気泳動方式の情報表示装置や、帯電粒子を表示媒体とし、この表示媒体を気体中で駆動させる方式の情報表示装置が提案されている。
【０００３】
上記情報表示装置は、ＬＣＤと比較すると、通常の印刷物に近い広い視野角が得られるとともに、電源をＯＦＦにしても一旦表示させた情報画像を表示し続けるメモリー性を有しているいるために消費電力が小さいことから、表示させた情報を何度も書き換えることができる情報表示装置として、近年では電子ペーパーとしての利用が期待されている。
【０００４】
また、帯電粒子を表示媒体とし、この表示媒体を気体中で駆動させる方式の情報表示装置では、駆動しきい値があるために、スイッチング素子（例えば薄膜トランジスタ：ＴＦＴ）を用いた複雑な回路構成でアクティブマトリックス駆動させなくても、単純なマトリックス駆動（パッシブマトリックス駆動）によって、表示したい情報画像をドットマトリックス表示したり、単純なセグメント駆動（パッシブ  ダイナミック駆動）によって、表示したい情報画像をセグメント表示したりすることができるので、安価な電子ペーパーとしての期待も高まっている。
【０００５】
上記電子ペーパーに適用できる情報表示装置として、少なくとも一方が透明な対向する電極付きの基板間に表示媒体を封入し、電極間に印加した電圧で形成した電界で表示媒体を移動させて画像等の情報を表示する情報表示装置が知られている。
【非特許文献１】国際公開ＷＯ２００３／０５０６０６号のパンフレット
【発明の開示】
【発明が解決しようとする課題】
【０００６】
上記少なくとも一方が透明な対向する電極付きの基板間に表示媒体を封入し、電極間に印加した電圧で形成した電界で表示媒体を移動させて画像等の情報を表示する情報表示装置において、一方の基板側で行方向に配置された複数の電極からなる行電極群、及び、他方の基板側で列方向に配置された複数の電極からなる列電極群、に対し、行電極の一端から他端にスキャンして電圧を印加することで１画面の情報を表示するにあたり、マトリックス表示するよう駆動させる場合や、セグメントをダイナミック駆動させる場合に、以下に説明するクロストークが発生する問題があった。
【０００７】
クロストーク（漏話）とは元々電話で他の回線の信号が混じり合う現象を言うが、この場合のクロストークとは、列電極が非選択にもかかわらず、他の行の影響を受けて実際とは違う情報が表示されてしまう現象である。上述した表示媒体を使用する情報表示装置のパッシブマトリックス駆動による表示では、列電極の非選択行には表示を保持するための電圧が印加される。この保持電圧が列電極の行数だけ印加される影響で、画像等の情報表示に濃淡が発生しムラになる。
【０００８】
図１０は従来の情報表示装置におけるクロストークに起因する濃淡のムラを説明するための図である。図１０に示す例では、簡単のため、下側の行電極１１−１〜１１−６と上側の列電極１２−１〜１２−８とから構成される８×６の画像等の情報を示す。そして、行電極と列電極とで形成する電極対間に、互いに帯電特性が異なる白色及び黒色の表示媒体が充填され、行電極１１−１〜１１−６と列電極１２−１〜１２−８との間に印加される電圧に応じて、白黒の表示を行っている。駆動方式は、全画面一括消去方式とし、行電極１１−１〜１１−６をその順にスキャンして画像等の情報表示を行っている。スキャンの際、行電極１１−１〜５１−６の全画面一括消去は電圧０Ｖを印加することで行うとともに、非選択行は全画面一括消去の際は電圧０Ｖを、書込の際は電圧５０Ｖを印加することで行う。同時に、列電極１２−１〜１２−８は、全画面一括消去時は書込列に電圧１００Ｖを印加し、書込列以外の列には電圧０を印加する。
【０００９】
図１０に示す例では、行電極１１−１からスキャンを開始して、最後の行電極１１−６において書込を終了した例を示す。図１０において、第１行の行電極１１−１と第２行の行電極１１−２と第３行の行電極１１−３のうち、本来は白表示であるべきＡ部分がクロストークにより白っぽいグレイに表示され、黒表示であるべきＢ部分がクロストークにより黒っぽいグレイに表示され、画像等の情報表示に濃淡が発生しムラになっている。
【００１０】
本発明の目的は上述した問題点を解消して、クロストークに起因する濃淡のムラを減らすことのできる情報表示装置の駆動方法を提供しようとするものである。
【課題を解決するための手段】
【００１１】
本発明の情報表示装置の駆動方法は、少なくとも一方が透明な対向する２枚の基板間に第１の色を有する表示媒体と第２の色を有する表示媒体とを封入し、前記２種類の表示媒体を移動させて画像等の情報を表示する情報表示装置の駆動方法において、一方の基板上で行方向に配置された複数の電極からなる行電極群、及び、他方の基板上で列方向に配置された複数の電極からなる列電極群、に対し、行電極の一端から他端にスキャンして電圧を印加することで１画面の画像を表示するにあたり、１画面の表示が終了した後、第１の色表示画素にクロストークを発生させる電圧もしくは第２の色表示画素にクロストークを発生させる電圧を１画面の画素全てに各１回以上印加することを特徴とする。
【００１２】
本発明の情報表示装置の駆動方法の好適例としては、上記を実現する最も簡単な方法として、スキャンの最後に１行以上行を付け足し、１スキャンが終了した後、第１の色の表示もしくは第２の色の表示を１回以上表示する駆動を行うこと、情報表示に先立つ情報の消去に際し使用する色と異なる色のクロストークを発生させる電圧を印加すること、および、情報表示に先立つ情報の消去方法が、全面を複数に分割して消去してから行毎に情報を書き込む分割消去方法、または、全面一斉に消去してから情報を行毎に書き込む全消去方法であること、がある。
【発明の効果】
【００１３】
本発明の情報表示装置の駆動方法によれば、１画面の表示が終了した後、第１の色表示画素にクロストークを発生させる電圧もしくは第２の色表示画素にクロストークを発生させる電圧を１画面の画素全てに各１回以上印加すること、好ましくは、スキャンの最後に１行以上行を付け足し、１スキャンが終了した後、第１の色の表示もしくは第２の色の表示を１回以上表示させることにより、例えば白黒表示の場合に、白色を若干黒く淡いグレイに表示したり黒色を若干白く濃いグレイに表示したりすることができ、画像等の情報表示にあたりクロストークに起因する濃淡のムラを減らすことができる。
【発明を実施するための最良の形態】
【００１４】
以下、本発明を実施するための最良の形態を図面に基づき詳細に説明する。
【００１５】
まず、本発明の対象となる情報表示装置が備える情報表示用パネルの基本的な構成について説明する。本発明の情報表示装置で用いる情報表示用パネルでは、対向する２枚の基板間に封入した、帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１６】
本発明の情報表示装置で用いる情報表示用パネルの例を、図１（ａ）、（ｂ），図２（ａ）、（ｂ）に基づき説明する。
【００１７】
図１（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板２に設けた行電極としてのライン電極６と基板１に設けた列電極としてのライン電極５とが対向直交交差して形成するマトリックス配置された画素電極対に電圧を印加することにより発生する電界に応じて、基板１、２と垂直に移動させる。そして、図１（ａ）に示すように白色表示媒体３Ｗを観察者に視認させて白色表示を、あるいは、図１（ｂ）に示すように黒色表示媒体３Ｂを観察者に視認させて黒色表示を、白黒のドットでマトリックス表示している。なお、図１（ａ）、（ｂ）において、手前にある隔壁は省略している。
【００１８】
図２（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された３セルにおいて、基板１に設けた行電極としての電極５（セグメント電極）と基板２に設けた列電極としての電極６（セグメント電極）とが対向して形成するセグメント電極対に電圧を印加することにより発生する電界に応じて、基板１、２と垂直に移動させる。そして、図２（ａ）に示すように白色表示媒体３Ｗを観察者に視認させて白色表示を、あるいは、図２（ｂ）に示すように黒色表示媒体３Ｂを観察者に視認させて黒色表示を、白黒のセグメント形状で行っている。なお、図２（ａ）、（ｂ）において、手前にある隔壁は省略している。
【００１９】
本発明の情報表示装置の駆動方法の特徴は、一方の基板側で行方向に配置された複数の電極からなる行電極群、及び、他方の基板側で列方向に配置された複数の電極からなる列電極群、に対し、行電極の一端から他端にスキャンして電圧を印加することで１画面の画像を表示するにあたり、１画面の表示が終了した後、第１の色にクロストークを発生させる電圧（クロストーク電圧１）、もしくは、第２の色にクロストークを発生させる電圧（クロストーク電圧２）を１画面の画素全てに各１回以上印加する点にある。ここで、クロストーク電圧１、クロストーク電圧２とは、例えば第１の色として白色を、第２の色として黒色を表示するために電圧１００Ｖ、電圧−１００Ｖを印加する例において、クロストーク電圧１として電圧５０Ｖを印加したり、あるいは、クロストーク電圧２として電圧−５０Ｖを印加したりする。具体的には、スキャンの最後に１行以上行を付け足し、１スキャンが終了した後、第１の色の表示もしくは第２の色の表示を１回以上表示する駆動を行うこと、および、情報表示に先立つ情報の消去に際し使用する色と異なる色のクロストークを発生させる電圧を印加すること、および、情報表示に先立つ情報の消去方法が、全面を複数に分割して消去してから行毎に情報を書き込む分割消去方法、または、全面一斉に消去してから情報を行毎に書き込む全消去方法であること、がある。
【００２０】
図３（ａ）〜（ｃ）〜図６（ａ）〜（ｃ）はそれぞれ本発明の駆動方式を図１０に示した従来例に対して付加した一例を説明するための図である。図３（ａ）〜（ｃ）〜図６（ａ）〜（ｃ）に示す例では、図１１に示す従来例のように、行電極１１−１〜１１−６と列電極１２−１〜１２−８を設ける他に、予め最後の１行として行電極１１−７を追加して設けている。
【００２１】
図３（ａ）〜（ｃ）に示す「白消去→仮想行黒書き」の例においては、画像表示部分のスキャンが終了した後（図３（ｂ））、ここでは、行電極１１−６までスキャンして８×６画素の１画面の画像を表示した後、最後の１行である行電極１１−７に対し、図３（ｃ）に示すように黒色の書き込みを行う。
その結果、図３（ｃ）に示すように、白色は淡いグレーに統一され、黒色は黒色及び濃いグレイに統一され、それぞれ１００％の白色または黒色とはならないが、白色に表示したいＡ部分はすべて淡いグレイで表示されるため、クロストークに起因する濃淡のムラを減らすことができる。
【００２２】
図４（ａ）〜（ｃ）に示す「白消去→仮想行白書き」の例においては、画像表示部分のスキャンが終了した後（図４（ｂ））、ここでは、行電極１１−６までスキャンして８×６画素の１画面の画像を表示した後、最後の１行である行電極１１−７に対し、図４（ｃ）に示すように白色の書き込みを行う（実際は１２−１〜８は非書込電圧とする）。
その結果、図４（ｃ）に示すように、白色は白及び淡いグレーに統一され、黒色は濃いグレイに統一され、それぞれ１００％の白色または黒色とはならないが、黒色に表示したい部分はすべて濃いグレイで表示されるため、クロストークに起因する濃淡のムラを減らすことができる。
【００２３】
図５（ａ）〜（ｃ）に示す「黒消去→仮想行白書き」の例においては、画像表示部分のスキャンが終了した後（図５（ｂ））、ここでは、行電極１１−６までスキャンして８×６画素の１画面の画像を表示した後、最後の１行である行電極１１−７に対し、図５（ｃ）に示すように白色の書き込みを行う。
その結果、図５（ｃ）に示すように、白色は白及び淡いグレーに統一され、黒色は濃いグレイに統一され、それぞれ１００％の白色または黒色とはならないが、黒色に表示したい部分はすべて濃いグレイで表示されるため、クロストークに起因する濃淡のムラを減らすことができる。
【００２４】
図６（ａ）〜（ｃ）に示す「黒消去→仮想行黒書き」の例においては、画像表示部分のスキャンが終了した後（図６（ｂ））、ここでは、行電極１１−６までスキャンして８×６画素の１画面の画像を表示した後、最後の１行である行電極１１−７に対し、図６（ｃ）に示すように黒色の書き込みを行う（実際は１２−１〜８は非書込電圧とする）。
その結果、図６（ｃ）に示すように、白色は淡いグレーに統一され、黒色は黒色及び濃いグレイに統一され、それぞれ１００％の白色または黒色とはならないが、白色に表示したい部分はすべて淡いグレイで表示されるため、クロストークに起因する濃淡のムラを減らすことができる。
【００２５】
図３（ａ）〜（ｃ）〜図６（ａ）〜（ｃ）に示す例では、全面一斉に消してからライン毎に書き込む全消去方法を例にとって説明したが、ライン毎に消去してから書き込むライン消去方法でも、同様に濃淡のムラを減らすことができる。さらに、図３（ａ）〜（ｃ）〜図６（ａ）〜（ｃ）に示す例では、追加した行電極１１−７の部分にまで表示媒体を充填して実際に白黒の表示を行ったが、この部分には表示媒体を充填せずに、８×６の１画面の画像表示終了後に、新たに設けた行電極１１−７と各列電極の延長部分との間に、白色の表示を行う電圧または黒色の表示を行う電圧を印加することでも、同様に濃淡のムラを減らすことができる。
【００２６】
本発明の情報表示装置の駆動方法では、クロストークが発生することは前提として、発生するクロストークに起因してグレイになった画素の色に第１の色（例えば白色）または第２の色（例えば黒色）をあわせて、第１の色を淡いグレイとするか、あるいは、第２の色を濃いグレイとすることで、濃淡を減らす点に最大の特徴がある。その際、発生するクロストークに起因してグレイになった画素の色に第１の色（例えば白色）および第２の色（例えば黒色）をあわせて、第１の色を淡いグレイとするとともに第２の色を濃いグレイとする場合（特開２００５−３３１９０４号公報の場合）に比べて、クロストーク低減効果は小さくなるが、消費電力を減少させるとともにプログラムのコード長を半減させることができる利点がある。
また、画像等の情報表示の際には、画像を消去する電圧の印加後に画像を形成する電圧の印加が行われ、特に表示メモリー性を有する情報表示装置においては、最終的に印加された電圧により変化した状態を保持するため、画像を形成する色（すなわち、画像を消去する際に使用する色と異なる色）を表示するために印加する電圧によるクロストークに起因する濃淡ムラの方が、画像を消去するために印加する電圧によるクロストークに起因する濃淡ムラよりも画質低下に影響する割合が大きくなることを考慮して、上述した本発明の情報表示装置の駆動方法において選択する色は、第１の色および第２の色の内、画像の消去に際し使用する色と異なる色を選択することで、より効果的に濃淡ムラを軽減することができる。
【００２７】
次に、実際に本発明の情報表示装置の駆動方法を適用した例について説明する。図７、図８（ａ）、（ｂ）、図９（ａ）、（ｂ）はそれぞれ本発明の情報表示装置の駆動方法の効果を説明するための図である。まず、本例では図７に示す画像を表示させるものとする。そして、ライン消去において従来の駆動方法で画像を表示した例を図８（ａ）に示し、同じくライン消去において最後の１行に白色または黒色を書き込んだ本発明の駆動方法で画像を表示した例を図８（ｂ）に示す。また、全消去において従来の駆動方法で画像を表示した例を図９（ａ）に示し、同じく全消去において最後の１行に白色または黒色を書き込んだ本発明の駆動方法で画像を表示した例を図９（ｂ）に示す。図８（ａ）と図８（ｂ）、及び、図９（ａ）と図９（ｂ）を比較すると、ライン消去方法でも全消去方法でも、従来例ではクロストークに起因する濃淡のムラが顕著なのに対し、本発明例ではクロストークに起因する濃淡のムラが減っていることがわかる。
【００２８】
なお、上述した例では、画素の消去や書込を行う時に印加する電圧値について触れなかったが、情報表示装置の構造に応じて電圧値（Ｖｏｌｔ）により画像の濃淡が大きく異なる。一般に、電圧値（Ｖｏｌｔ）が低いと黒色の表示ができず、一方、電圧値が高いとクロストークに起因するグレイの部分と黒色の部分との差がなくなる。そのため、情報表示装置の構造に応じて最適な電圧を選択する必要があり、一例として８０Ｖ〜１１０Ｖ程度の電圧を使用する。
【００２９】
以下、本発明の対象となる情報表示装置を構成する各部材について説明する。
【００３０】
基板については、少なくとも一方の基板は情報表示用パネル外側から表示媒体の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜２０００μｍが好ましく、さらに５〜１０００μｍが好適であり、薄すぎると、強度、基板間の間隔均一性を保ちにくくなり、２０００μｍより厚いと、薄型情報表示用パネルとする場合に不都合がある。
【００３１】
電極形成材料としては、アルミニウム、銀、ニッケル、銅、金等の金属類や酸化インジウム錫（ＩＴＯ）、酸化インジウム亜鉛（ＩＺＯ）、酸化インジウム、アルミニウムドープ酸化亜鉛（ＡＺＯ）、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され適宜選択して用いられる。電極の形成方法としては、上記例示の材料をスパッタリング法、真空蒸着法、ＣＶＤ（化学蒸着）法、塗布法等で薄膜状に形成する方法や、金属箔をラミネートする方法（例えば、圧延銅箔などがある）、導電剤を溶媒や合成樹脂バインダーに混合して塗布したりする方法が用いられる。視認側であり透明である必要のある表示面側基板２に設ける電極は透明である必要があるが、背面側基板１に設ける電極は透明である必要はない。いずれの場合もパターン形成可能で導電性である上記材料を好適に用いることができる。なお、電極厚みは、導電性が確保でき光透過性に支障がなければ良く、０．０１〜１０μｍ、好ましくは０．０５〜５μｍで設けられる。背面側基板１に設ける電極の材質や厚みなどは上述した表示面側基板に設ける電極と同様であるが、透明である必要はない。
【００３２】
基板に隔壁を設ける場合の隔壁４については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。基板間ギャップ確保用として設ける隔壁の高さは１０〜５００μｍであり、この隔壁の高さが基板間ギャップとなり、セル形成用の隔壁はこの１０〜５００μｍの範囲内で形成されれば、低い隔壁としてもよい。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【産業上の利用可能性】
【００３３】
本発明の対象となる情報表示装置は、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられるほか、外部書換え手段に接続して表示書換えを行う表示部（リライタブルペーパー）としても好適に用いられる。
【図面の簡単な説明】
【００３４】
【図１】（ａ）、（ｂ）はそれぞれ本発明の情報表示装置で用いる情報表示用パネルの一例を示す図である。
【図２】（ａ）、（ｂ）はそれぞれ本発明の情報表示装置で用いる情報表示用パネルの他の例を示す図である。
【図３】（ａ）〜（ｃ）はそれぞれ本発明の情報表示装置の駆動方式を図１０に示した従来例に対し付加した一例を説明するための図である。
【図４】（ａ）〜（ｃ）はそれぞれ本発明の情報表示装置の駆動方式を図１０に示した従来例に対し付加した他の例を説明するための図である。
【図５】（ａ）〜（ｃ）はそれぞれ本発明の情報表示装置の駆動方法を図１０に示した従来例に対し付加した他の例を説明するための図である。
【図６】（ａ）〜（ｃ）はそれぞれ本発明の情報表示装置の駆動方法を図１０に示した従来例に対し付加した他の例を説明するための図である。
【図７】本発明の情報表示装置の駆動方法の効果を説明するための図である。
【図８】（ａ）、（ｂ）はそれぞれ本発明の情報表示装置の駆動方法の効果を説明するための図である。
【図９】（ａ）、（ｂ）はそれぞれ本発明の情報表示装置の駆動方法の効果を説明するための図である。
【図１０】従来の情報表示装置におけるクロストークに起因する濃淡のムラを説明するための図である。
【符号の説明】
【００３５】
１、２  基板
３Ｗ    白色表示媒体
３Ｗａ  負帯電性白色粒子
３Ｂ    黒色表示媒体
３Ｂａ  正帯電性黒色粒子
４  隔壁
５  行電極（または列電極）
６  列電極（または行電極）
１１−１〜１１−８ 行電極
１２−１〜１２−８ 列電極
【図１】
2010113154.tif 000003
【図２】
2010113154.tif 000004
【図３】
2010113154.tif 000005
【図４】
2010113154.tif 000006
【図５】
2010113154.tif 000007
【図６】
2010113154.tif 000008
【図７】
2010113154.tif 000009
【図８】
2010113154.tif 000010
【図９】
2010113154.tif 000011
【図１０】
2010113154.tif 000012